(57)【要約】【課題】  釣行時に常備する撒き餌箱１に極めて簡単に固定・取り外しが出来る海釣竿置を提供するものである。【解決手段】  撒き餌箱１の２箇所に、前竿置台２及び後竿置台５を上から押し込み、それぞれの蝶ネジをしっかり締め、前竿置３と支柱７を差し込めるように設置するもので、撒き餌箱１に孔をあけ、ネジ止めすることなく、また、両面テープ或いは、接着剤等で取り付けることなく、蝶ネジを締め付けることにより簡単に取り付け、緩めれば取り外せる、着脱が容易である海釣竿置。【選択図】  図１
0003145436.tif 000002
【実用新案登録請求の範囲】
【請求項１】
撒き餌箱１の２箇所に前竿置台２及び後竿置台５を上から押し込み、それぞれの蝶ネジをしっかり締め、前竿置３と支柱７を差し込めるように設置する海釣竿置。
【請求項２】
前竿置台２に前竿置３を差込接続し、前竿置３の向きが、自在に角度を変えることが出来る請求項１に記載の海釣竿置。
【請求項３】
後竿置台５に支柱７を差込、後竿置６を挿入し、後竿置６は、ユリヤねじ６―３で、支柱を固定するため、竿を置く高さが調節でき、また、支柱７の円柱に、後竿置５の円筒形を挿入するため、後竿置５の角度を調節できる、請求項１又は、２に記載の海釣竿置。
【請求項４】
前竿置３に設置した仕掛留４は、ゴム系のやや硬い物質で、重ね餅を横にした形状にした、竿を置いた時に、仕掛を挟んで固定し、竿等に絡まないようにする請求項１〜３のいずれかに記載の海釣竿置。
【請求項５】
餌箱掛８には、餌箱を掛ける窪みを設け、支柱７の最上部に挿入できる請求項１〜４のいずれかに記載の海釣竿置。
【考案の詳細な説明】
【技術分野】
【０００１】
本考案は、海釣竿置に係り、更に詳しくは、海釣をするときに常備する撒き餌箱１に竿置（３・６）を設置し、釣竿をここに置くことにより、海釣がより楽に、楽しく且つ能率的に、高価で貴重な釣竿を安全に使用できるようにした、海釣竿置に関する。
【背景技術】
【０００２】
従来、海釣竿置について各種提案されている（特許文献１，２参照）。
海釣は、長時間の行為であり、通常釣りをする時は、竿を持って行なうが、用を足したり、食事したり、飲み物を飲んだりもしないといけないが、この度に、いちいち釣り場の適当な所に、釣竿を置かないといけないことになり、釣竿に傷をつけたり、仕掛を絡ませたりする。
【０００３】
また、吊り上げた魚を釣針から外し、魚を入れ物に保管するためにも、釣竿の置き場がない、という有様である。  
【０００４】
先に記述したとおり、釣行は長時間となるため、その仕掛けの交換も必要となり、ウキ・ハリス・オモリ・釣針など交換作業時も、釣竿の置き場に困る。  
【特許文献１】実用新案登録第３０６６３６７号公報
【特許文献２】特開２００８−１２５５１３号公報
【考案の開示】
【考案が解決しようとする課題】
【０００５】
この考案は、上記課題を解決しようとするもので、釣行時に常備する撒き餌箱１に極めて簡単に固定・取り外しが出来る、海釣竿置を提供するものである。
【課題を解決するための手段】
【０００６】
上記課題を解決するため、この考案は、撒き餌箱１に、前竿置台２・後竿置台５を挟み、ねじ込み、きつく固定し必要部品を取り付けることにした。
請求項１は、撒き餌箱１の２箇所に前竿置台２及び後竿置台５を上から押し込み、それぞれの蝶ネジをしっかり締め、前竿置３と支柱７を差し込めるように設置する海釣竿置である。
請求項２は、前竿置台２に前竿置３を差込接続し、前竿置３の向きが、自在に角度を変えることが出来る請求項１に記載の海釣竿置である。
請求項３は、後竿置台５に支柱７を差込、後竿置６を挿入し、後竿置６は、ユリヤねじ６―３で、支柱を固定するため、竿を置く高さが調節でき、また、支柱７の円柱に、後竿置５円筒形を挿入するため、後竿置５の角度を調節できる、請求項１又は、２に記載の海釣竿置である。
請求項４は、前竿置３に設置した仕掛留４は、ゴム系のやや硬い物質で、重ね餅を横にした形状にした、竿を置いた時に、仕掛を挟んで固定し、竿等に絡まないようにする請求項１〜３のいずれかに記載の海釣竿置である。
請求項５は、餌箱掛８には、餌箱を掛ける窪みを設け、支柱７の最上部に挿入できる請求項１〜４のいずれかに記載の海釣竿置である。
【考案の効果】
【０００７】
上記の如く、構成するこの考案にあっては、撒き餌箱１の任意の所に、種々必要部品を取り付けることにより、楽に、能率的に、安全に釣を楽しむことが出来るものであり、前竿置台２及び後台置台５は、撒き餌箱１に孔をあけ、ネジ止めすることなく、また、両面テープ或いは、接着剤等で取り付けることなく、蝶ネジで締め付けることにより簡単に取り付け、緩めれば取り外せる着脱が容易であり、撒き餌箱１の何処の位置にも取り付けが出来るので、釣り場に合った、釣り人が好む最良の所に取り付けが出来る、また、後竿置５は、上下左右自在に設定できるため、前竿置３との高さの兼ね合いで海面、或いは、撒き餌箱１を置く磯等の形状を考慮し高さの調整が簡単に出来るものであり、仕掛留４は、釣竿を置いたときに、仕掛を挟んで固定し、釣竿等に仕掛が絡まないようにしたもので、餌箱掛８は、支柱７の最上部に設置し、餌箱を引っ掛け固定し、立ち座（釣るときの姿勢）のままで餌を付けることが出来るものである。
【考案を実施するための最良の形態】
【０００８】
次に、この考案の実施形態を、図面を参照しながら説明すると、図１は、この考案に係る海釣竿置の使用状態を示す傾斜図である。
【０００９】
撒き餌箱１は、撒き餌さを入れる箱であり、海釣には、必需品である。
【００１０】
前竿置台２は、直接撒き餌箱１に挟み込み、前竿置３及び仕掛留４の土台となり、前竿置台右２―１から前竿置台左２―３まで貫通し、前竿置台中央２―２部分は、挟み込みを強くするため台形とし、角度を付け、締め付けは、蝶ネジで、前竿置台右２―１から前竿置台左２―３まで、連結し、前竿置台左２―３には、牝ネジを埋め込み、着脱は、蝶ネジを締める、緩める、ことにより簡単に取り扱いが出来ることになる。
【００１１】
後竿受台５は、上記と同じに取り付けるが、支柱７の基礎となり、後竿置６・餌箱掛８を取り付けることとになるが、形状等は、前竿置台２と同じであるが、負荷等を考慮しより強固にするため、少し大きめにした。
【００１２】
前竿置３は、前竿置柱３―１と、先方の竿を受ける役目の前竿受３―２からなり、釣り場の形状に応じ、左右に動かし、角度を調整することが出来る。
【００１３】
仕掛留４は、前竿置３に併設し、ゴム系のやや硬い材質を２枚、重ね餅のようにして取り付けている物で、ミチ糸・ハリスを必要に応じて挟みいれ留め置く役目をする。
【００１４】
支柱７は、後竿置台５に設置し、後竿置６・餌箱掛８を設置し、釣り人が腰を曲げることなく餌を付けることが出来る高さとし、材質は、薄い円筒形が良いので、グラスファイバーか、カーボンファイバーとする。
【００１５】
後竿置６は、後竿受６―１で、竿尻方を受ける役目で、材質は固めのプラスチックとし、支柱筒６―２は、円筒形になっているので支柱７に通し、高さ・角度を決め、ユリヤねじ６―３で、支柱７を押さえ固定する。
【００１６】
餌箱掛８は、餌箱を掛ける物で、窪みを２対設け、餌箱の大・小に対応でき、必要に応じ鋏などの小物などを置いて（ぶら下げ）も重宝する。
【図面の簡単な説明】
【００１７】
【図１】海釣竿置の使用状態を示す傾斜図である。
【図２】前竿置台を示す説明図である。
【図３】前竿置及び仕掛留を示す説明図である。
【図４】後竿置台を示す説明図である。
【図５】後竿置を示す説明図である。
【図６】餌箱掛を示す説明図である。
【符号の説明】
【００１８】
１        撒き餌箱
２        前竿置台
２―１    前竿置台右
２―２    前竿置台中央
２―３    前竿置台左
２―４    蝶ネジ
２―５    前竿置柱受
３        前竿置
３―１    前竿置柱
３―２    前竿受
４        仕掛留
５        後竿置台
５―１    後竿置台右
５―２    後竿置台中央
５―３    後竿置台左
５―４    支柱受
６        後竿置
６―１    後竿受
６―２    支柱筒
６―３    ユリヤねじ
７        支柱
８        餌箱掛
８―１    餌箱足
【図１】
0003145436.tif 000003
【図２】
0003145436.tif 000004
【図３】
0003145436.tif 000005
【図４】
0003145436.tif 000006
【図５】
0003145436.tif 000007
【図６】
0003145436.tif 000008